(57)【要約】【課題】発光部材を備え、当該発光部材が発光する際に該発光部材を保護することの可能なバックルを提供する。【解決手段】バックルは、筒部２１を有する雌部材２と、筒部２１に脱離可能に挿着され筒部２１の開口を塞ぐ雄部材１と、雄部材１及び雌部材２の少なくとも一方に設けられ、筒部２１に雄部材１が挿着された状態で筒部２１内に配置される発光部材１４とを有する。【選択図】図１
2013075064.tif 000002
【特許請求の範囲】
【請求項１】
筒部を有する雌部材と、
前記筒部に脱離可能に挿着され前記筒部の開口を塞ぐ雄部材と、
前記雄部材及び前記雌部材の少なくとも一方に設けられ、前記筒部に前記雄部材が挿着された状態で前記筒部内に配置される発光部材と、を有する
ことを特徴とするバックル。
【請求項２】
請求項１に記載のバックルにおいて、
前記雄部材のうちで前記開口を塞ぐ部分、及び前記雌部材における前記筒部の少なくとも一方に形成され光を透過する透光部を有する
ことを特徴とするバックル。
【請求項３】
請求項２に記載のバックルにおいて、
前記発光部材は、前記雄部材に設けられ、
前記透光部は、前記筒部である
ことを特徴とするバックル。
【請求項４】
請求項２又は３に記載のバックルにおいて、
前記透光部は、有色且つ透明である
ことを特徴とするバックル。
【請求項５】
請求項２〜４のいずれか一項に記載のバックルにおいて、
互いに異なる複数の前記透光部が、前記雄部材と前記雌部材とに設けられ、
前記雄部材における前記透光部の色と前記雌部材における前記透光部の色とが互いに異なる
ことを特徴とするバックル。
【請求項６】
請求項１〜５のいずれか一項に記載のバックルにおいて、
前記発光部材が設けられた部位に対して前記発光部材を着脱する着脱機構を備える
ことを特徴とするバックル。
【請求項７】
請求項６に記載のバックルにおいて、
前記筒部の内部に設けられ、前記筒部に前記雄部材が挿着された状態で前記発光部材を収納する収納部を有し、
前記収納部が、透光性を有する
ことを特徴とするバックル。
【請求項８】
請求項６又は７に記載のバックルにおいて、
前記着脱機構は、バックル機構である
ことを特徴とするバックル。
【発明の詳細な説明】
【技術分野】
【０００１】
本発明は、雌部材の筒部に雄部材が脱離可能に挿着されるバックルに関する。
【背景技術】
【０００２】
従来、特許文献１に記載のように、発光部材が備えられたベルト用のバックルが考案されている。特許文献１に記載のバックルでは、ベルト用のバックルの表面を構成するカバー部がバックル本体に対して取り外し可能に保持され、カバー部の一部に電球が取り付けられている。そして、バックル本体からカバー部が取り外されることによりカバー部の外側に操作部が露出し、これにより電球による発光機能が発現されるようになる。
【先行技術文献】
【特許文献】
【０００３】
【特許文献１】実用新案登録第３０９７３２６号公報
【発明の概要】
【発明が解決しようとする課題】
【０００４】
しかしながら、特許文献１に記載のバックルでは、電球が常に外部に露出することになるため、外部からの衝激を電球が受けやすく、それゆえに電球の故障する頻度が高いという不都合がある。そこで、発光部材を備え、当該発光部材を保護することの可能なバックルが求められている。
【０００５】
本発明は、こうした実情に鑑みてなされたものであり、その目的は、発光部材を備え、当該発光部材を保護することの可能なバックルを提供することにある。
【課題を解決するための手段】
【０００６】
以下、上記目的を達成するための手段及びその作用効果について説明する。
本発明におけるバックルの一態様は、筒部を有する雌部材と、前記筒部に脱離可能に挿着され前記筒部の開口を塞ぐ雄部材と、前記雄部材及び前記雌部材の少なくとも一方に設けられ、前記筒部に前記雄部材が挿着された状態で前記筒部内に配置される発光部材と、を有する。
【０００７】
上記態様によれば、雄部材と雌部材とから構成されるバックルに発光部材が設けられている。このため、雄部材が雌部材に挿着された状態では、発光部材がそれを囲む部分に保護される。
【０００８】
本発明におけるバックルの一態様は、前記雄部材のうちで前記開口を塞ぐ部分、及び前記雌部材における前記筒部の少なくとも一方に形成され光を透過する透光部を有する。
上記態様によれば、発光部材を囲む部分には透光部が設けられている。このため、雄部材が雌部材に挿着された状態では、発光部材がそれを囲む部分に保護され、且つ発光部材の発光機能が透光部によって発現される。
【０００９】
本発明におけるバックルの一態様は、上記態様において、前記発光部材が、前記雄部材に設けられ、前記透光部が、前記筒部である。
上記態様によれば、発光部材が雄部材に設けられているため、発光部材が雄部材と雌部材との双方に設けられる態様と比べて、バックルの構成を簡素にすることが可能である。また、雌部材の筒部内に発光部材が配置される態様と比べて、これもまたバックルの構成を簡素にすることが可能である。
【００１０】
本発明におけるバックルの一態様は、上記態様において、前記透光部が、有色且つ透明である。
上記態様よれば、透光部が有色且つ透明であるため、有色の光がバックルから発せられることになる。よって、バックルを指示灯や警告灯等として使用することが可能である。
【００１１】
本発明におけるバックルの一態様は、上記態様において、互いに異なる複数の前記透光部が、前記雄部材と前記雌部材とに設けられ、前記雄部材における前記透光部の色と前記雌部材における前記透光部の色とが互いに異なる。
【００１２】
上記態様よれば、雄部材と雌部材とにおいて互いに異なる色の光が発せられるため、バックルの周囲における光の色が、互いに異なる色と、該互いに異なる色の混ざった色とに分かれることになる。そのため、バックルにおけるファッション性を高めることができる。
【００１３】
本発明におけるバックルの一態様は、上記態様において、前記発光部材が設けられた部位に対して前記発光部材を着脱する着脱機構を備える。
上記態様によれば、発光部材が設けられた部位に対して発光部材が着脱可能であるから、発光部材の機能とバックルの機能とを各別に発現させることができる。また、バックルが取り付けられた鞄やバックパック等の装身具や衣類等が洗濯されるときに、発光部材の設けられた部位から発光部材が取り外されることで、発光部材が水に浸かることを抑えることができる。
【００１４】
本発明におけるバックルの一態様は、上記態様において、前記筒部の内部に設けられ、前記筒部に前記雄部材が挿着された状態で前記発光部材を収納する収納部を有し、前記収納部は、透光性を有する。
【００１５】
上記態様によれば、発光部材の保護を収納部によって更に高めることが可能である。
本発明におけるバックルの一態様は、上記態様において、前記着脱機構が、バックル機構である。
【００１６】
上記態様によれば、バックル機構によって発光部材を着脱することが可能になる。
【発明の効果】
【００１７】
本発明のバックルによれば、発光部材を備え、当該発光部材が発光する際に該発光部材を保護することが可能となる。
【図面の簡単な説明】
【００１８】
【図１】本発明におけるバックルの第１の実施形態の斜視構造を示す斜視図であって、雄部材と雌部材との非係合の状態を示す図。
【図２】同第１の実施形態の斜視構造を示す斜視図であって、雄部材と雌部材とが係合した状態を示す図。
【図３】本発明におけるバックルの第２の実施形態の平面構造を示す平面図であって、（ａ）発光部材が雄部材から離脱された状態を示す図、（ｂ）発光部材が雄部材に装着された状態を示す図。
【発明を実施するための形態】
【００１９】
（第１の実施形態）
以下、本発明を具体化した第１の実施形態について図１及び図２を参照して説明する。
図１に示されるように、バックルを構成する雄部材１は、平面視方向から見てＥ字形状をなし、直方体状をなす雄側基部１１には、ベルト等の帯体が挿通される雄側スリット１１ａが一つの方向に沿って形成されている。
【００２０】
雄側基部１１にて雄側スリット１１ａの延びる方向の両端部には、膨大した先端部１２を有して互いに対向する一対の脚部１３が、雄側スリット１１ａに対して直交する方向に延設されている。これら一対の脚部１３の各々には、該脚部１３における雄側基部１１側に、肉厚が先端部１２よりも小さいヒンジ部１５が形成されている。また、一対の先端部１２の各々は、他方の先端部１２とは反対側に突出する係合突起１６を有している。そして、一対の先端部１２が互いに近づくように一対の脚部１３が外力を受けると、一対の先端部１２が互いに近づくように、一対の脚部１３が撓曲する。これら雄側基部１１及び一対の脚部１３は、光を透過しない黒色の樹脂材料によって一体的に成形されている。
【００２１】
雄側基部１１において一対の脚部１３の間には、脚部１３の延設方向に延びる直方体形状の発光部材１４が、一対の脚部１３と同じく、雄側基部１１の一側に突設されている。発光部材１４は、該発光部材１４の外部へ白色の光を出射するＬＥＤ等の自発光源であって、該発光部材１４の上面には、発光源を点灯させる操作部３１が設けられている。この操作部３１は、スライドスイッチによって構成されている。そして、操作部３１であるスライドスイッチが、その操作範囲のうちで発光部材１４の先端側に変位させると、発光部材１４が点灯する一方、操作部３１であるスライドスイッチが、その操作範囲のうちで雄側基部１１側である基端側に変位させると、発光部材１４が消灯する。このような構成であれば、雄部材１にて脚部１３が操作される方向と、操作部３１が操作される方向とが互いに異なるため、脚部１３の操作時に操作部３１が誤って操作されることを抑えることが可能である。
【００２２】
一方、バックルを構成する雌部材２の雌側基部２２には、ベルト等の帯体が挿通される雌側スリット２６が一つの方向に沿って形成されている。雌部材２の全体は、発光部材１４からの光を透過する赤色の透明材料によって形成されて透光部として機能する。
【００２３】
雌側基部２２には、雌側スリット２６の延設方向における両側が括れた矩形筒状の筒部２１が、雌側スリット２６に対して直交する方向に延設されている。筒部２１の先端側には、上述した一対の脚部１３、及び発光部材１４の挿脱される挿脱孔２３が、雌側スリット２６に対して直交する方向に沿って形成されている。挿脱孔２３の内部には、該挿脱孔２３の延設方向に延びる互いに平行な一対の隔壁２４が形成されている。そして、挿脱孔２３の内部がこれら一対の隔壁２４で区画されることによって、同挿脱孔２３の内部に、これら一対の隔壁２４と筒部２１の一部とで挟まれた部分である収納部が区画される。また、筒部２１において括れた部分には、挿脱孔２３と連通する一対の被係合孔２５が互いに対向して形成されている。
【００２４】
次に、上記構成からなるバックルの作用について説明する。
まず、図１に示されるように、雄部材１と雌部材２とが非係合状態であるとき、発光部材１４における操作部３１の操作が利用者によって可能となっている。そして、発光部材１４を点灯させてバックルを使用する際、例えばバックルを安全灯のような目印として使用する際、操作部３１がその操作範囲のうちで発光部材１４の先端側に変位され、これにより発光部材１４が点灯される。次いで、発光部材１４の先端が一対の隔壁２４の間に挿入される態様で、一対の脚部１３の先端部１２が挿脱孔２３の内部に挿入される。続いて、一対の先端部１２が雌部材２の筒部２１に挿入されると、先端部１２が筒部２１の内側面に沿って移動しながら、一対の先端部１２が互いに近づくようにヒンジ部１５が撓む。そして、係合突起１６が被係合孔２５に到達すると、先端部１２が互いに離れるようにヒンジ部１５が撓みを戻し、図２に示されるように、一対の脚部１３の引き抜きが係合突起１６と被係合孔２５との係合により係止される。
【００２５】
この際、発光部材１４の出射する白色の光は、赤色の透明材料からなる隔壁２４、及び同じく赤色の透明材料からなる筒部２１によって赤色に変換されて雌部材２の外部へ出射される。そして、こうした雄部材１と雌部材２とが係合する状態では、発光部材１４の周囲が筒部２１によって覆われるため、発光部材１４に向けた外力が筒部２１によって吸収されて発光部材１４がこうした外力から保護されることになる。また、塵や埃等が筒部２１によって遮断されるため、発光部材１４がこうした汚損から保護されることにもなる。また、発光部材１４の操作部３１も筒部２１によって覆われるため、発光部材１４が不用意に消灯されることもなく、さらに、雄部材１にて脚部１３が操作される方向と、操作部３１が操作される方向とが互いに異なるため、脚部１３の操作時に操作部３１が誤って操作されることも抑えられる。
【００２６】
そして、発光部材１４が消灯される際には、まず、上述した状態の一対の先端部１２が互いに近づくように押圧され、これにより係合突起１６と被係合孔２５との係合が解除されて一対の脚部１３及び発光部材１４が挿脱孔２３から抜き出される。次いで、雄部材１と雌部材２とが互いに離れると、発光部材１４の操作部３１が、その操作範囲のうちで雄側基部１１側である基端側に配置され、発光部材１４が消灯される。そして、雄部材１が雌部材２の挿脱孔２３に再び挿着されることで、雄部材１と雌部材２とが互いに係合し、発光部材１４が筒部２１の内部で保護され続ける。
【００２７】
以上、上述した第１の実施形態によれば、以下の効果を奏することができる。
（１）雄部材１と雌部材２とから構成されるバックルに発光部材１４が設けられ、雄部材１が雌部材２に挿着された状態では、発光部材１４が筒部２１によって覆われる。このため、発光部材１４が外力や汚れから保護されることになる。
【００２８】
（２）発光部材１４の周囲に配置される雌部材２の筒部２１が透光性を有し、雄部材１が雌部材２に挿着された状態では、発光部材１４が筒部２１によって覆われる。このため、発光部材１４の消灯時及び点灯時の双方で、透光性を有した筒部２１を介して発光部材１４の発光機能が発現される。
【００２９】
（３）発光部材１４が雄部材１に設けられるため、発光部材１４が雌部材２における筒部２１の内部に設けられる態様、さらにはこれに加えて雄部材１にも設けられる態様と比べて、バックルの構成を簡素にすることが可能である。また、雌部材２から抜き出された状態で発光部材１４を点灯させることが可能でもあり、この際には、雌部材２を介して出射される赤色の光の他、発光部材１４から直接出射される白色の光を１つのバックルで出射させることが可能にもなる。
【００３０】
（４）雌部材２が赤色且つ透明の材料で形成されるため、雄部材１が雌部材２に挿着された状態では、発光部材１４が出射する白色の光を赤色に変換することが可能である。そのため、発光部材１４が白色の光を出射する態様とはいえ、バックルそのものを赤色の光を出射する警告灯として利用することが可能でもある。
【００３１】
（５）雄部材１が雌部材２に挿着された状態で発光部材１４を収納する収納部が、筒部２１の内部に一対の隔壁２４によって形成され、且つ一対の隔壁２４が、筒部２１と同じく透光性を有する。そのため、発光部材１４の保護をこうした収納部によって更に高めることが可能でもある。
【００３２】
（第２の実施形態）
以下、本発明を具体化した第２の実施形態について、図３を参照して説明する。第２の実施形態のバックルでは、発光部材が雄側基部に対して着脱可能である点が第１の実施形態と異なっている。そのため、以下では、こうした第１の実施形態との相違点を中心に説明する。なお、第２の実施形態では、図１を参照して説明した第１の実施形態におけるバックルと同様の構成要素に対し同じ符号を付してその説明を省略する。
【００３３】
図３に示されるように、雄側基部１１における一対の脚部１３の間には、該脚部１３の延設方向に一対の係合爪１８が延設されている。一方、発光部材１４における雄側基部１１側の端部である基端部は、上記一対の係合爪１８が挿入及び脱離可能な円筒状に形成されている。また、発光部材１４の基端部における側面には、係合爪１８と係合することの可能な一対の被係合孔３２が形成されている。すなわち、発光部材１４における基端部と雄側基部１１における係合爪１８とは、発光部材１４を雄側基部１１に対して着脱可能にする着脱機構としてのバックル機構として機能する。
【００３４】
次に、上記構成からなるバックルの作用について説明する。
まず、図３（ａ）に示されるように、雄部材１と雌部材２とが非係合状態であって、且つ雄側基部１１と発光部材１４とが非係合状態であるとき、発光部材１４における操作部３１の操作が利用者によって可能となっている。そして、発光部材１４を点灯させてバックルを使用する際には、まず、発光部材１４の基端部に一対の係合爪１８が挿入され、これにより発光部材１４の基端部に雄側基部１１の係合爪１８が挿着される。次いで、操作部３１がその操作範囲のうちで発光部材１４の先端側に配置され、これにより発光部材１４が点灯される。次いで、一対の先端部１２及び発光部材１４が雌部材２の筒部２１に挿入されると、図３（ｂ）に示されるように、一対の脚部１３の引き抜きが係合突起１６と被係合孔２５との係合により係止される。
【００３５】
この際、先に説明した第１の実施形態と同じく、発光部材１４の出射する白色の光は、赤色の透明材料からなる筒部２１によって赤色に変換されて雌部材２の外部へ出射される。そして、こうした雄部材１と雌部材２とが係合する状態では、発光部材１４の周囲が筒部２１によって覆われるため、発光部材１４に向けた外力が筒部２１によって吸収されて発光部材１４がこうした外力から保護されることになる。
【００３６】
次に、発光部材１４の点灯が不要になった際には、係合突起１６と被係合孔２５との係合が解除されて一対の脚部１３及び発光部材１４が挿脱孔２３から抜き出される。次いで、発光部材１４の操作部３１が、その操作範囲のうちで雄側基部１１側である基端側に変位され、発光部材１４が消灯される。さらに、バックルが取り付けられた鞄やバックパック等の装身具や衣類等が洗濯されるときには、上述したバックル機構によって発光部材１４における基端部が係合爪１８からとり外される。これにより、発光部材１４が水に浸かることを抑えることが可能にもなる。
【００３７】
以上、上述した第２の実施形態によれば、上記（１）〜（５）に準じた効果に加え、以下の効果を得ることができる。
（６）雄側基部１１に対して発光部材１４が着脱可能であるため、バックルが取り付けられた鞄やバックパック等の装身具や衣類等を洗濯したいときに、発光部材１４を取り外すことが可能である。それゆえに、バックル本来の機能を制約することを抑え、且つ発光部材１４が水に浸かることを抑えることが可能にもなる。
【００３８】
（７）雄側基部１１に対して発光部材１４が着脱可能であるため、１つのバックルに対して発光部材１４を交換することが可能にもなる。このような態様であれば、発光部材１４における発光機能が寿命等により失われる場合であっても、雄部材１が交換されることなく、バックルにおける発光機能を再び発現させることが可能になる。また、互いに異なる複数の色を出射する複数の発光部材１４を互いに異なるタイミングで利用することが可能になるため、バックルにおけるファッション性を高めることが可能にもなる。
【００３９】
なお、上記実施形態は、これを適宜変更した以下の形態にて実施することができる。
・上記各実施形態では、雄部材１と雌部材２とが互いに離れた状態で、発光部材１４の操作部３１が操作可能になる。これを変更して、一対の脚部１３におけるヒンジ部１５及び操作部３１が挿脱孔２３から抜き出され、且つ、この状態にて、先端部１２と筒部２１とが互いに係合するように、雄部材１と雌部材２とが構成されてもよい。このような構成によれば、上記（１）〜（７）に準じた効果に加え、以下の効果を得ることが可能でもある。
【００４０】
（８）雄部材１と雌部材２との係合が保たれた状態で、発光部材１４に対する点灯操作及び消灯操作が可能になる。それゆえに、雄部材１と雌部材２とを連結するというバックル本来の機能に対し、それが制約されることを抑えて、上記効果を得ることが可能にもなる。
【００４１】
・上記構成において、雌部材２の色は、赤色以外であってもよく、また互いに異なる複数の色であってもよく、また発光部材１４が出射する光の色と同色であってもよい。要は、雌部材２は、発光部材１４が出射する光を透過する透光性を有する構成であればよい。
【００４２】
・上記構成において、雌部材２が光を透過しない材料から形成される一方、雄部材１と雌部材２とが係合する状態で雄部材１のうち下記（ａ）（ｂ）の少なくとも１つが透光性を有する構成であってもよい。また、雌部材２の筒部２１が透光性を有するとともに、雄部材１と雌部材２とが係合する状態で雄部材１のうち下記（ａ）（ｂ）の少なくとも１つが透光性を有する構成であってもよい。
【００４３】
（ａ）雄側基部１１のうち挿脱孔２３の開口と互いに向かい合う部分。
（ｂ）脚部１３のうち被係合孔２５の開口を通じて外部に露出される部分。
要は、雄部材１のうちで筒部２１の開口を塞ぐ部分及び雌部材２における筒部２１の少なくとも一方が透光性を有した透光部であればよい。こうした構成であっても、上記（１）〜（８）に準じた効果を得ることは可能である。
【００４４】
・上記構成において、発光部材１４は、上記各実施形態の他、雌部材２の筒部２１内に設けられる構成であってもよく、また雌部材２の筒部２１内にのみ設けられる構成であってもよい。要は、発光部材１４は、雄部材１及び雌部材２の少なくとも一方に設けられ、筒部２１に雄部材１が挿着された状態で筒部２１内に配置される構成であればよい。
【００４５】
・上記各実施形態では、発光部材１４が白色以外の光を発する構成であってもよい。このような構成であれば、雄部材１と雌部材２とが非係合の状態では、白色以外の光が発光部材１４から直接外部に出射され、雄部材１と雌部材２とが係合した状態では、発光部材１４の出射する白色以外の光が雄部材１または雌部材２で変換されて出射される。そのため、発光部材１４、雄部材１、及び雌部材２の組み合わせによって、互いに異なる３つ以上の色の光をバックルから出射させることが可能である。それゆえに、バックルにおけるファッション性を高めることができる。
【００４６】
・上記実施形態では、雌部材２の筒部２１が透光性を有したが、筒部２１が透光性を有しない材料で形成されてもよい。要は、発光部材１４を使用しないときに、発光部材１４を保護できればよい。
【００４７】
・上記第２の実施形態では、着脱機構の一例として、係合爪１８と被係合孔３２とからなるバックル機構を説明したが、螺子式や磁石等、雄部材１に対して発光部材１４を着脱可能にする機構であればよい。
【００４８】
・上記第２の実施形態において、係合爪１８から取り外された発光部材１４を保管する保管部が、雄部材１又は雌部材２に別途設けられる構成であってもよい。
・上記各実施形態にて、先端部１２が操作される方向と、操作部３１が操作される方向とが互いに同じであってもよい。こうした構成であっても、上記（１）〜（６）に準じた効果を得ることは可能である。
【００４９】
・上記各実施形態の操作部３１は、押ボタンスイッチ等、スライドスイッチ以外の他のスイッチであってもよい。
・上記各実施形態では、サイドリリースタイプのバックルに本発明を適用したが、フロントリリースタイプのバックルに本発明を適用してもよい。
【００５０】
・上記実施形態では、操作部３１の１回の操作で発光部材１４が点灯するようにしたが、操作部３１を操作している間のみ発光部材１４が点灯するようにしてもよい。
【符号の説明】
【００５１】
１…雄部材、２…雌部材、１１…雄側基部、１１ａ…雄側スリット、１２…先端部、１３…脚部、１４…発光部材、１５…ヒンジ部、１６…係合突起、１８…係合爪、２１…筒部、２２…雌側基部、２３…挿脱孔、２４…隔壁、２５…被係合孔、２６…雌側スリット、３１…操作部、３２…被係合孔。
【図１】
2013075064.tif 000003
【図２】
2013075064.tif 000004
【図３】
2013075064.tif 000005